(57)【特許請求の範囲】
【請求項１】
平行に並ぶ対のニップロール、
ニップロールを個別に支持する軸受のうち、対のニップロールの一方を支持し、対のニップロールの他方を支持する固定軸受に対して平行並列を維持しつつ接近、離隔方向に案内するガイド上を動く可動軸受、
対のうち一方のニップロールの可動軸受に連結する間隔調整機構、
対のニップロールを接近方向に力を付与する付勢手段、
該間隔調整機構で書籍の厚さよりも若干狭くなるよう調整された対のニップロールの上面に、保護カバー用シートを供給する手段、および
該シート供給手段からの保護カバー用シートの先端部に、ほぼ全幅にわたって、該シートを緊張する板を有することを特徴とする書籍表紙保護カバー装着器具。
【請求項２】
該板は、重り板であることを特徴とする請求項1に記載の書籍表紙保護カバー装着器具。
【請求項３】
該板には、該緊張を与える弾性体が繋がっていることを特徴とする請求項１に記載の書籍表紙保護カバー装着器具。
【請求項４】
該保護カバー用シートが片面に粘着剤が付されたシートであることを特徴とする請求項１に記載の書籍表紙保護カバー装着器具。
【発明の詳細な説明】
【０００１】
【発明の属する技術分野】
本発明は、書籍の表紙面にプラスチックシートの保護カバーを簡易に装着する器具に関するものである。
【０００２】
【従来の技術】
書籍は表紙に予め保護カバーの付されているもの、いないもの様々であるが、さらにその上から保護カバーを付すことが多い。図書館、貸し本店などの保護カバーは、書籍を汚染損傷から護り、あるいはその所属を示すために透明又は半透明なプラスチックシートやそれに僅かなプリント模様などがあるシートが使用されている。
【０００３】
従来、このようなプラスチックシートの保護カバーは、紙の保護カバーと同じよう手張りでなされていた。しかしながら、最近の書籍は表紙の面が滑らかな光沢紙が多く、プラスチックシートとの密着性が高くなっているため、手張りで行うと、表紙と保護カバーの間に気泡が入って抜けず、また保護カバーにみみず腫れといわれる突起皺がつくことが多く、綺麗に仕上げるにはかなりの熟練が必要となる。
【０００４】
紙とプラスチックシートとの貼合せについては、例えば特開平４−１２２６２４号公報に記載されている方法および装置をはじめ、数多く開示されているが、書籍の保護カバー装着に転用できるものはない。
【０００５】
【発明が解決しようとする課題】
最近の傾向として、書籍の表紙にプラスチックシートの保護カバーを付すという需要がかなり高まっているにも拘らず、適切な装置や器具がないため熟練が必要な手作業に頼っていた。特に図書館、貸し本店など、プラスチックシートの保護カバーをかなりの規模で扱うところでは、保護カバーを簡易に装着できる器具が望まれていた。
【０００６】
本発明は前記の課題を解決するためになされたもので、書籍にプラスチックシートの保護カバーを、気泡や折り目、皺がなく簡易に装着できる器具を提供するものである。
【０００７】
【課題を解決するための手段】
前記の目的を達成するためになされた本発明を適用する書籍表紙保護カバー装着器具は、平行に並ぶ対のニップロール、ニップロールを個別に支持する軸受のうち、対のニップロールの一方を支持し、対のニップロールの他方を支持する固定軸受に対して平行並列を維持しつつ接近、離隔方向に案内するガイド上を動く可動軸受、対のうち一方のニップロールの可動軸受に連結する間隔調整機構、対のニップロールを接近方向に力を付与する付勢手段、該間隔調整機構で書籍の厚さよりも若干狭くなるよう調整された１対のニップロールの上面に、保護カバー用シートを供給する手段、および該シート供給手段からの保護カバー用シートの先端部に、ほぼ全幅にわたって、該シートを緊張する板を有する。
【０００８】
該板は、重り板であることが好ましい。
【０００９】
この書籍表紙保護カバー装着器具を使用して書籍の表紙に保護カバーをかけるには、先ず、間隔調整機構で一方のニップロールを動かして、対のニップロールの間隔を書籍の厚さよりも若干狭くなるように調整しておく。シート供給手段からのシートの先端部に例えば重り板を貼り付けてから、さらにシートを引き出し対のニップロールとを跨ぐようにしてロールから重り板で吊下げる。平行並列を維持している対のニップロールの間隙に向けて、そこに跨がっているシートを介して書籍を押し込むと、ニップロールはその摩擦力で回転する。対のニップロールの間隙は付勢手段で維持されようとしているが、書籍の押込力に負けて軸受がガイド上を後退し、書籍の両面がシートの上から各ニップロールにより平行に順次圧着されてゆく。シートには重り板でテンションがかかり、書籍の表面とシートとの間は一直線で順に接してゆくとともに、その間の空気は押し出されるから、皺や折り目、気泡などが残存しない。
【００１０】
この保護カバー用シートの先端部に付される板には、このシートに緊張を与える弾性体が繋がっていてもよい。
【００１１】
この書籍表紙保護カバー装着器具に使用する保護カバー用シートは、片面に粘着剤が付されていることが好ましい。
【００１２】
書籍には、予め書籍よりやや大きなヤトイ板がはさまれていてもよい。
【００１３】
【発明の実施の形態】
以下、本発明の好ましい実施の形態を、図面を用いて詳細に説明する。
【００１４】
図１は本発明を適用する書籍表紙保護カバー装着器具の一実施例の側面図を示してある。この例の保護カバー装着器具は、本体フレーム１に組み上げられ、書籍７にプラスチックシート３の保護カバーを装着するものである。
【００１５】
本体フレーム１に固設された固定軸受１３にはニップロール１１が取付けられている。可動軸受１４にはニップロール１２が取付けられている。ニップロール１１および１２はともに軟質ゴムでできている。固定軸受１３は、ニップロール１１の軸を回転可能に支持している。可動軸受１４は、そのガイド長孔１７が本体フレーム１に取付けられたガイド軸１８に係合し、本体フレーム１に対して可動となって、ニップロール１２を支持している。可動軸受１４に取付けられた雌ネジ２０に螺合しているネジ棒２１は、その先端が、固定軸受１３に回転可能に当たっている。ネジ棒２１にはハンドルつまみ２２が取付けられている。固定軸受１３と可動軸受１４との間には引っ張りバネ２３が掛け渡されている。そのため、可動軸受１４は、そのガイド軸１８が係合するガイド長孔１７に沿って固定軸受１３側に引き寄せられている。また、可動軸受１４は、ネジ棒２１の先端が固定軸受１３に当って、止められている。
【００１６】
さらに本体フレーム１には、保護カバーとなるプラスチックシート３のロール５が軸支持されている。プラスチックシート３はベースシートの上に粘着剤を塗布してあるもので、ロール巻きの状態では、離型用の剥離紙４が粘着面に貼られている。また、プラスチックシート３と略同等幅程度の金属板が重り板２４として、さらには剥離用ガイドバー２５が用意される。本体フレーム１にはガイド２７が設けられている。
【００１７】
この書籍表紙保護カバー装着器具を使って書籍の表紙に保護カバーを装着するには、以下のようにする。
【００１８】
先ず、ハンドルつまみ２２を回してネジ棒２１を前後させニップロール１１とニップロール１２との間隔を書籍７の厚さよりも若干狭く調整する。次いでロール５からプラスチックシート３の先端を引き出して剥離紙４を剥がし、ガイドバー２５を挟んで引分けられる。シート３の先端部には粘着面に重り板２４が貼付けられ、さらに引き出されてニップロール１１および１２を跨いで重り板２４により吊り下げられる（鎖線示参照）。ロール５側の軸受１３が本体フレーム１に固定されているので、軸受１３が軸支持しているニップロール１１へのプラスチックシート３の供給角度が一定となる。書籍７を覆うに足りるシート３を引き出したら、書籍７をガイド２７に当てる。このガイド２７に沿って、図３に示すように、書籍７をニップロール１１とニップロール１２との間にシート３を介して背表紙から押し込む。ニップロール１１とニップロール１２との間隔は書籍７の厚さよりも狭いが、ニップロール１１とニップロール１２との間はバネ２３で結合しているから、書籍７がバネの引力に抗してニップロール１１とニップロール１２を引き広げながら回転させ、シート３の粘着面が書籍７の表紙に圧着されてゆく。表紙の全面にシート３が圧着されたら、シート３をその大きさに切って保護カバーの装着作業は終了する。
【００１９】
上記の実施例ではプラスチックシートは粘着剤付きのものとしているが、書籍の表紙が滑らかな面であるものなら、粘着剤がないプラスチックシートでも表紙との密着性により十分に装着できる。
【００２０】
なお、図２に示すように、重り板２４に代えて、プラスチックシート３を下向きに引張るばねような弾性体２６が繋がったプラスチック製の板を用いてもよい。各ニップロールの軸受１３・１４は何れもガイド上を動く可動軸受であってもよい。
【００２１】
図４に示すように、書籍７には、粘着剤から剥離し易いポリテトラフルオロエチレンのような樹脂製で書籍７よりもやや大きな薄地のヤトイ板８を、一時的にはさんでおいてもよい。ニップロール１１および１２の夫々により表紙にシート３を圧着した後、ヤトイ板８を抜取る。これにより、圧着の途中で、シート３のうち表紙の縁からはみ出ている部分同士が貼り付いてしまうことを防止することができる。
【００２２】
背表紙ほど厚い書籍７であっても、適当な厚さの楔状のヤトイ板８をはさむことにより、表紙とニップロールとの間隔を一定に保つことができるので、皺等を生じることなく表紙にシート３を圧着することができる。
【００２３】
【発明の効果】
以上、詳細に説明したように本発明を適用した書籍表紙保護カバー装着器具を使用して書籍の表紙にかけた保護カバーは、表紙と保護カバーの間に気泡などが残存しないし、保護カバーに皺や折り目ができず、美麗に仕上がる。格別な訓練を経なくても簡単に作業ができ、しかも器具の構成としても簡易で安価なものである。特に図書館、貸し本店など、かなりの数の書籍にプラスチックシートの保護カバーを装着する必要のあるところでは最適の器具である。
【図面の簡単な説明】
【図１】本発明を適用する書籍表紙保護カバー装着器具の実施例の側面図である。
【図２】本発明を適用する書籍表紙保護カバー装着器具の別な実施例の要部側面図である。
【図３】前記実施例の書籍表紙保護カバー装着器具の使用状態を示す斜視図である。
【図４】前記実施例の書籍表紙保護カバー装着器具の別な使用状態を示す斜視図である。
【符号の説明】
１は本体フレーム、３はプラスチックシート、４は剥離紙、５はロール、７は書籍、８はヤトイ板、１１・１２はニップロール、１３は固定軸受、１４は可動軸受、１７はガイド長孔、１８はガイド軸、２０は雌ネジ、２１はネジ棒、２２はハンドルつまみ、２３は引っ張りバネ、２４は重り板、２５は剥離用ガイドバー、２６は弾性体、２７はガイドである。
【図１】
0004686071.tif 000002
【図２】
0004686071.tif 000003
【図３】
0004686071.tif 000004
【図４】
0004686071.tif 000005